(57)【特許請求の範囲】
【請求項１】
第一の発光部と、
第二の発光部と、
第一の入射面から入射された前記第一の発光部から発せられた光と第二の入射面から入射された前記第二の発光部から発せられた光とを反射面を用いてそれぞれに屈折させ、それぞれに屈折させた光を、前記第一の入射面及び前記第二の入射面と交わる方向に形成された照射面から照射する導光部材と、
を有し、
前記第二の発光部は、前記第一の発光部よりも前記照射面から離れた位置に配置されていて、
前記第二の入射面が前記照射面となす前記導光部材内部側の角度が、前記第一の入射面が前記照射面となす前記導光部材内部側の角度よりも小さく、且つ前記第二の発光部から発せられた光が前記第二の入射面を通過する際に前記照射面側に屈折する角度が、第一の発光部から発せられた光が前記第一の入射面を通過する際に照射面側に屈折する角度よりも大きい表示装置。
【請求項２】
前記導光部材は、一端部側の長さが他端部側の長さよりも長く、
前記第一の発光部及び前記第二の発光部は、前記導光部材の前記一端部側に配置されている請求項１記載の表示装置。
【請求項３】
複数の発光部と、
対応する前記複数の発光部の一つからそれぞれに光が入射される複数の入射面から入射された光を反射面を用いてそれぞれに屈折させ、それぞれに屈折させた光を、前記複数の入射面とそれぞれに交わる方向に形成された照射面から照射する導光部材と、
を有し、
前記複数の発光部は、前記照射面からの距離が互いに異なるように配置されていて、
前記複数の入射面の一つが前記照射面と前記導光部材内部側になす角度は、前記照射面からの距離が長い前記複数の発光部の一つに対応する前記複数の入射面の一つほど小さく、且つ前記複数の発光部の一つから発せられた光が前記一つの入射面を通過する際に前記照射面側に屈折する角度が、前記照射面からの距離が長い前記複数の発光部の一つほど大きい表示装置。
【請求項４】
前記導光部材は、一端部側の長さが他端部側の長さよりも長く、
前記複数の発光部は、前記導光部材の前記一端部側にそれぞれに配置されている請求項３記載の表示装置。
【請求項５】
画像形成装置本体と、
前記画像形成装置本体に装着されている表示装置と、
を有し、
前記表示装置は、
第一の発光部と、
第二の発光部と、
第一の入射面から入射された前記第一の発光部から発せられた光と第二の入射面から入射された前記第二の発光部から発せられた光とを反射面を用いてそれぞれに屈折させ、それぞれに屈折させた光を、前記第一の入射面及び前記第二の入射面と交わる方向に形成された照射面から照射する導光部材と、
を有し、
前記第二の発光部は、前記第一の発光部よりも前記照射面から離れた位置に配置されていて、
前記第二の入射面が前記照射面となす前記導光部材内部側の角度が、前記第一の入射面が前記照射面となす前記導光部材内部側の角度よりも小さく、且つ前記第二の発光部から発せられた光が前記第二の入射面を通過する際に前記照射面側に屈折する角度が、第一の発光部から発せられた光が前記第一の入射面を通過する際に照射面側に屈折する角度よりも大きい
画像形成装置。
【請求項６】
画像形成装置本体と、
前記画像形成装置本体に装着されている表示装置と、
を有し、
前記表示装置は、
複数の発光部と、
対応する前記複数の発光部の一つからそれぞれに光が入射される複数の入射面から入射された光を反射面を用いてそれぞれに屈折させ、それぞれに屈折させた光を、前記複数の入射面とそれぞれに交わる方向に形成された照射面から照射する導光部材と、
を有し、
前記複数の発光部は、前記照射面からの距離が互いに異なるように配置されていて、
前記複数の入射面の一つが前記照射面と前記導光部材内部側になす角度は、前記照射面からの距離が長い前記複数の発光部の一つに対応する前記複数の入射面の一つほど小さく、且つ前記複数の発光部の一つから発せられた光が前記一つの入射面を通過する際に前記照射面側に屈折する角度が、前記照射面からの距離が長い前記複数の発光部の一つほど大きい
画像形成装置。
【発明の詳細な説明】
【技術分野】
【０００１】
本発明は、表示装置及び画像形成装置に関する。
【背景技術】
【０００２】
特許文献１には、装置のハードウェアに関する状態を管理するシステム管理手段と、各アプリケーションからアプリケーションの状態情報及び前記システム管理手段から装置の状態情報を取得する取得手段と、装置全体の状態を確認するための状態確認画面の表示要求を受け付ける入力手段と、前記表示要求があった場合、前記取得手段が取得した前記状態情報に基づき、装置の状態表示と、各アプリケーションの状態表示とを１つの画面で行う前記状態確認画面を作成する画面作成手段と、前記画面作成手段により作成された前記状態確認画面を表示する表示手段と、を備える画像処理装置が記載されている。
【先行技術文献】
【特許文献】
【０００３】
【特許文献１】特開２０１３−１０２３５０号公報
【発明の概要】
【発明が解決しようとする課題】
【０００４】
本発明は、導光部材の照射面までの距離が互いに異なる発光部を用いることにより生じる虞がある照射面から照射される光量の違いを抑制することができる表示装置及び画像形成装置を提供することを目的とする。
【課題を解決するための手段】
【０００５】
請求項１に係る本発明は、第一の発光部と、第二の発光部と、第一の入射面から入射された前記第一の発光部から発せられた光と第二の入射面から入射された前記第二の発光部から発せられた光とを反射面を用いてそれぞれに屈折させ、それぞれに屈折させた光を、前記第一の入射面及び前記第二の入射面と交わる方向に形成された照射面から照射する導光部材と、を有し、前記第二の発光部は、前記第一の発光部よりも前記照射面から離れた位置に配置されていて、前記第二の入射面が前記照射面となす前記導光部材内部側の角度が、前記第一の入射面が前記照射面となす前記導光部材内部側の角度よりも小さい表示装置である。
【０００６】
請求項２に係る本発明は、前記導光部材は、一端部側の長さが他端部側の長さよりも長く、前記第一の発光部及び前記第二の発光部は、前記導光部材の前記一端部側に配置されている請求項１記載の表示装置である。
【０００７】
請求項３に係る本発明は、複数の発光部と、対応する前記複数の発光部の一つからそれぞれに光が入射される複数の入射面から入射された光を反射面を用いてそれぞれに屈折させ、それぞれに屈折させた光を、前記複数の入射面とそれぞれに交わる方向に形成された照射面から照射する導光部材と、を有し、前記複数の発光部は、前記照射面からの距離が互いに異なるように配置されていて、前記複数の入射面の一つが前記照射面と前記導光部材内部側になす角度は、前記照射面からの距離が長い前記複数の発光部の一つに対応する前記複数の入射面の一つほど小さい表示装置である。
【０００８】
請求項４に係る本発明は、前記導光部材は、一端部側の長さが他端部側の長さよりも長く、前記複数の発光部は、前記導光部材の前記一端部側にそれぞれに配置されている請求項３記載の表示装置である。
【０００９】
請求項５に係る本発明は、画像形成装置本体と、前記画像形成装置本体に装着されている表示装置と、を有し、前記表示装置は、第一の発光部と、第二の発光部と、第一の入射面から入射された前記第一の発光部から発せられた光と第二の入射面から入射された前記第二の発光部から発せられた光とを反射面を用いてそれぞれに屈折させ、それぞれに屈折させた光を、前記第一の入射面及び前記第二の入射面と交わる方向に形成された照射面から照射する導光部材と、を有し、前記第二の発光部は、前記第一の発光部よりも前記照射面から離れた位置に配置されていて、前記第二の入射面が前記照射面となす前記導光部材内部側の角度が、前記第一の入射面が前記照射面となす前記導光部材内部側の角度よりも小さい画像形成装置である。
【００１０】
請求項６に係る本発明は、画像形成装置本体と、前記画像形成装置本体に装着されている表示装置と、を有し、前記表示装置は、複数の発光部と、対応する前記複数の発光部の一つからそれぞれに光が入射される複数の入射面から入射された光を反射面を用いてそれぞれに屈折させ、それぞれに屈折させた光を、前記複数の入射面とそれぞれに交わる方向に形成された照射面から照射する導光部材と、を有し、前記複数の発光部は、前記照射面からの距離が互いに異なるように配置されていて、前記複数の入射面の一つが前記照射面と前記導光部材内部側になす角度は、前記照射面からの距離が長い前記複数の発光部の一つに対応する前記複数の入射面の一つほど小さい画像形成装置である。
【発明の効果】
【００１１】
請求項１に係る本発明によれば、導光部材の照射面までの距離が互いに異なる発光部を用いることにより生じる虞がある照射面から照射される光量の違いを抑制することができる表示装置を提供することができる。
【００１２】
請求項２に係る本発明によれば、動向部材の一端部と他端部とが同じ動向部材を用いる場合には形成されない空間を表示装置内に形成することができる。
【００１３】
請求項３に係る本発明によれば、導光部材の照射面までの距離が互いに異なる発光部を用いることにより生じる虞がある照射面から照射される光量の違いを抑制することができる表示装置を提供することができる。
【００１４】
請求項４に係る本発明によれば、動向部材の一端部と他端部とが同じ動向部材を用いる場合には形成されない空間を表示装置内に形成することができる。
【００１５】
請求項５に係る本発明によれば、導光部材の照射面までの距離が互いに異なる発光部を用いることにより生じる虞がある照射面から照射される光量の違いを抑制することができる画像形成装置を提供することができる。
【００１６】
請求項６に係る本発明によれば、導光部材の照射面までの距離が互いに異なる発光部を用いることにより生じる虞がある照射面から照射される光量の違いを抑制することができる画像形成装置を提供することができる。
【図面の簡単な説明】
【００１７】
【図１】本発明の第１の実施形態に係る画像形成装置を示す図である。
【図２】図１に示されている画像形成装置が有する表示装置を正面から示す図である。
【図３】図２に示されている表示装置の図２におけるＡ−Ａ線断面を示す図である。
【図４】図２に示されている表示装置が有する導光部材と発光部とを示す図である。
【図５】本発明の第２の実施形態に係る表示装置が有する導光部材と発光部とを示す図である。
【発明を実施するための形態】
【００１８】
次に、本発明を実施するための形態を図面を参照して説明する。図１には本発明の実施形態に係る画像形成装置９００が示されている。画像形成装置９００は、例えば電子写真方式やインクジェット方式等で画像を形成する装置であり、画像形成装置本体９１０と表示装置１０とを有する。この形態においては、表示装置１０は画像形成装置９００に対して取り付けられているものの、表示装置１０は、例えば各種通信機器、各種電化製品等の画像形成装置以外の装置に取り付けて用いることもできる。
【００１９】
表示装置１０は、表示装置本体２０を有し、表示装置本体２０が画像形成装置本体９１０に対して、取付部材２２を用いて取り付けられている。
【００２０】
図２には、表示装置１０が前側から示されている。図２に示されているように、表示装置本体２０の前側の面には、タッチパネル４０と、発光部４２と、発光部４４と、操作部４６と、操作部４８とが取り付けられている。タッチパネル４０は、画像形成装置９００の状態を表示する機能と、画像形成装置９００を操作する機能とを備えている。タッチパネル４０を用いて画像形成装置９００を操作するには、操作者がタッチパネル４０に表示された絵やピクトグラムなどの点又は領域に手で触れたり、専用のスタイラス（不図示）等と呼ばれるペンや一般のペンで圧力を加えたりする等により、触れられた画面位置の情報を感知して画像形成装置９００へ信号として出力する。
【００２１】
発光部４２と発光部４４とは、画像形成装置９００の状態を示すために例えば予め定められた色で発光する。操作部４６と操作部４８とは、画像形成装置９００を操作するために用いられて、例えば押圧式のスイッチ装置を用いることができる。
【００２２】
表示装置本体２０の前側の面には、発光部６０がさらに取り付けられている。発光部６０は、例えば互いに異なる複数の色の光を発し、例えば赤の光と青の光とを発する。
【００２３】
図３には、表示装置１０の断面が示されている。表示装置１０は、先述のように表示装置本体２０を有し、表示装置本体２０には、光を透過することができる光透過性部材２６が取り付けられている。光透過性部材２６の表示装置本体２０における外側の部分は、先述の発光部６０（図２も参照）として用いられている。光透過性部材２６としては例えば板状のガラスや、板状の樹脂等を用いることができる。
【００２４】
また、表示装置本体２０内には、例えば互いに異なる色の光を発する第一の発光素子６２及び第二の発光素子６４と、導光部材として用いられているプリズム１００とが配置されている。第一の発光素子６２としては、例えば青色の光を発するＬＥＤ（light emitting diode）を用いることができ、第二の発光素子６４としては、例えば赤色の光を発するＬＥＤを用いることができる。また、第一の発光素子６２と第二の発光素子６４とは発する光量が等しい。
【００２５】
第二の発光素子６４は、第一の発光素子６２よりも後述する照射面１２０から離れた位置に配置されている。
【００２６】
プリズム１００は、第一の入射面１０２と、第二の入射面１０４と、反射面１１０と、照射面１２０とを有する。第一の入射面１０２は第一の発光素子６２から発せられた光が入射される面であり、第二の入射面１０２は第二の発光素子６４から発せられた光が入射される面である。また、反射面１１０は、第一の入射面１０２から入射された第一の発光素子６２から発せられた光と第二の入射面１０４から入射された第二の発光素子６４から発せられた光とそれぞれに反射させる面である。照射面１２０は、第一の入射面１０２と第二の入射面１０４とにそれぞれに交わる方向に形成された面であり、反射面１１０で屈折した光を光透過性部材２６に向けて照射する。
【００２７】
図４には、第一の発光素子６２と、第二の発光素子６４と、プリズム１００とが示されている。プリズム１００は、長手方向における一端部長さＬ１が、長手方向における他端部の長さＬ２よりも長く、第一の発光素子６２及び第二の発光素子６４は、プリズム１００に対してプリズム１００の一端部側に配置されている。このため、長さＬ１と長さＬ２との長さが同じ場合では形成されない空間Ｓ（図３を算書）を表示装置本体２０の内部に形成することができる。
【００２８】
また、第二の入射面１０４が照射面１２０となすプリズム１００内部側の角度θ２が、第一の入射面１０２が照射面１２０となすプリズム１００内部側の角度θ１よりも小さくなるように、第一の入射面１０２の向きと第二の入射面１０４の向きとが定められている。角度θ２は例えば８２°とすることができ、角度θ１は例えば９０°とすることができる。
【００２９】
以上のように構成された表示装置１０においては、第二の発光素子６４から発せられた光が第二の入射面１０４を通過する際に照射面１２０側に屈折する角度が、第一の発光素子６２から発せられた光が第一の入射面１０２を通過する際に照射面１２０側に屈折する角度よりも大きい。このため、第二の発光素子６４が第一の発光素子６２よりも照射面１２０から離れた位置に配置されているものの、第一の発光素子６２から発せられ照射面１２０から照射される光の光量と、第二の発光素子６２から発せられ照射面１２０から照射される光の光量と違いを抑制することができる。
【００３０】
図４には、本発明の第二の実施形態に係る画像形成装置が有する表示装置１０のプリズム１００と発光素子とが示されている。先述の第１の実施形態においては、表示装置１０は、第一の発光素子６２と第二の発光素子６４とを有していた。これに対して、この第二の実施形態においては、表示装置１０は、第一の発光素子６２と第二の発光素子６４とに加え、第三の発光素子６４を有している。第三の発光素子６４は、例えば第一の発光素子が発する光の色及び第一の発光素子が発する光の色とは異なる色の光を発し、例えば、緑色の光を発する。第三の発光素子６４としては、例えば緑色の光を発するＬＥＤ を用いることができる。
【００３１】
この第２の実施形態においては、第一の発光素子６２、第二の発光素子６４及び第三の発光素子６６がそれぞれに発する光量が等しい。また、第二の発光素子６４は、第一の発光素子６２よりも後述する照射面１２０から離れた位置に配置されていて、第三の発光素子６６は、第二の発光素子６４よりも後述する照射面１２０から離れた位置に配置されている。
【００３２】
また、この第二に実施形態においては、プリズム１００は、先述の第１の実施形態に係るプリズム１００が有する各面に加えて第三の入射面１０６を有する。第三の入射面１０６は、第三の発光素子６６から発せられた光が入射される面である。
【００３３】
この第二の実施形態においても、プリズム１００は、長手方向における一端部長さＬ１が、長手方向における他端部の長さＬ２よりも長い。そして、第一の発光素子６２、第二の発光素子６４及び第三の発光素子６６は、プリズム１００に対してプリズム１００の一端部側に配置されている。
【００３４】
また、この第２の実施形態においては、第二の入射面１０４が照射面１２０となすプリズム１００内部側の角度θ２が第一の入射面１０２が照射面１２０となすプリズム１００内部側の角度θ１よりも小さくなり、第三の入射面１０６が照射面１２０となすプリズム１００内部側の角度θ３が角度θ２よりも小さくなるように第一の入射面１０２の向き、第二の入射面１０４の向き及び第三の入射面１０６の向きが定められている。
【００３５】
以上のように構成された第２の実施形態に係る表示装置１０においては、第二の発光素子６４から発せられた光が第二の入射面１０４を通過する際に照射面１２０側に屈折する角度が、第一の発光素子６２から発せられた光が第一の入射面１０２を通過する際に照射面１２０側に屈折する角度よりも大きく、第三の発光素子６６から発せられた光が第三の入射面１０６を通過する際に照射面１２０側に屈折する角度が、第二の発光素子６４から発せられた光が第二の入射面１０４を通過する際に照射面１２０側に屈折する角度よりも大きい。
【００３６】
このため、第二の発光素子６４が第一の発光素子６２よりも照射面１２０から離れた位置に配置されていて、第三の発光素子６６が第二の発光素子６４よりも照射面１２０から離れた位置に配置されているものの、第一の発光素子６２から発せられ照射面１２０から照射される光の光量と、第二の発光素子６２から発せられ照射面１２０から照射される光の光量と、第三の発光素子６６から発せられ照射面１２０から照射される光の光量との違いを抑制することができる。
【産業上の利用可能性】
【００３７】
以上で説明をしたように、本発明は、例えば複写機、ファクシミリ装置、プリンター等の画像形成装置と、例えばこれらの画像形成装置で用いることができる表示装置とに適用することができる。
【符号の説明】
【００３８】
１０・・・表示装置
１０・・・表示装置
２０・・・表示装置本体
６０・・・発光部
６２・・・第一の発光素子、６４・・・第二の発光素子、６６・・・第三の発光素子
１００    プリズム
１０２・・・第一の入射面、１０４・・・第二の入射面、１０６・・・第三の入射面
１１０・・・反射面
１２０・・・照射面
９００・・・画像形成装置
９１０・・・画像形成装置本体
【図１】
0006624367.tif 000002
【図２】
0006624367.tif 000003
【図３】
0006624367.tif 000004
【図４】
0006624367.tif 000005
【図５】
0006624367.tif 000006